(57)【要約】【課題】スイング扉は開閉時に上下方向に移動するため、開き扉と違って前方に人が立っていても人にぶつかることがない。しかしながら従来の取付金具を取り付けたスイング扉は上部の吊り棚に突出の大きな取っ手が取り付けられていると、該取っ手にぶつかって取っ手を壊したり傷付けたりすることがあった。本発明は上部の取っ手の突出高さに応じて開き具合を調整できるスイング扉の取付金具である。【解決手段】本発明は、側壁用固定具と扉用固定具にそれぞれ上ステイと下ステイを回動自在に取り付けてあり、側壁用固定具に取り付けた下ステイの取付部の上方近傍に軸が偏芯した位置にあるストッパーを回動自在に取り付けてある。【選択図】図１
2004027789.tif 000002
【特許請求の範囲】
【請求項１】
扉に固定した扉用固定具に上ステイと下ステイの一端が回動自在に取り付けられているとともに、家具の側壁に固定した側壁用固定具に上ステイと下ステイの他端が回動自在に取り付けられており、しかも側壁用固定具には下ステイを取り付けた回動軸の上方近傍に下ステイの回動を停止させることができる多角形のストッパーが偏芯して回動自在に取り付けられていることを特徴とするスイング扉の取付金具。
【請求項２】
前記ストッパーは、内側に多角形の辺と直行する溝が刻設されており、該溝は側壁用固定具に突設したノックと係合可能となっていることを特徴とする請求項１記載のスイング扉の取付金具。
【請求項３】
前記ストッパーには、軸と辺の距離に応じて異なる印が付されていることを特徴とする請求項１、２記載のスイング扉の取付金具。
【請求項４】
前記上ステイには、引張りバネが張設されていることを特徴とする請求項１記載のスイング扉の取付金具。
【請求項５】
前記上ステイと下ステイは、く字形に湾曲していることを特徴とする請求項１記載のスイング扉の取付金具。
【発明の詳細な説明】
【０００１】
【発明の属する技術分野】
本発明は、家具や収納棚に設置するスイング扉の取付金具に関する。
【０００２】
【従来の技術】
厨房では、流し台、調理台、ガスコンロ等の所謂厨房設備の上方に吊り棚を取り付けておくことが多い。これは厨房設備で調理したり、食後の後片付けをしたりするときに、調理器具や食器等の出し入れが、その場に居ながらして行えるからである。そして吊り棚の下、特に流し台の上方に設置した吊り棚の下には水切り棚を取り付けている。これは流し台で洗った調理器具を濡れたまま水切り棚に置いておくことができ、調理器具から水が垂れ落ちても、その水がそのまま流し台に中に落ちるため、水が不必要なところに飛び散らないからである。
【０００３】
ところが乾いた調理器具をいつまでも水切り棚に置いておくと、ホコリが付着したり、ハエや油虫がとまったりするため、乾いた後は水切り棚から他の収納棚へしまうようにしている。このように水切り棚は、流し台で洗った調理器具を乾くまで仮に置くだけであり、乾いた後には他の収納棚にしまっていた。また水切り棚は、複数本のパイプが並設されただけであり、周囲に柵がないため、茶碗や皿のような食器を載せると滑り落ちて割ってしまったり、また箸やスプーンのような細長いものはパイプの隙間から落下してしまったりする。このようなことから水切り棚は、食器や小さいものの水切りには適していない。つまり水切り棚は便利なようで意外と使いにくいものであり、かえって昔から使われてきた水切りカゴの方が使いやすい。また厨房では、調理器具、食器、調味料等の厨房用品を少しでも多く、どこかに収納できることが望ましい。そこで最近では、調理器具や食器の水切り用として流し台の中に設置できる水切り籠を使い、吊り棚の下部には水切り棚に代えて多くの厨房用品を収納できる収納棚を設置するようになってきている。
【０００４】
ところで吊り棚の下に収納棚を設置した場合、該収納棚の扉が観音式の開き扉であると、人が流し台の前に立って開き扉を開けたときに、開き扉が立っている人に当たるような軌道を描いて開く。そのため、そこに居る人は開く扉を避けるために後ろにさがったり、頭を下げて開き扉に当たらないようにしたりしなければならなかった。しかしながら人が立っている場所が狭くて後ろにさがれないような厨房では逃げ場がなく、また腰痛が持病の人は前かがみになって開く扉を避けることができない。そこで最近では、吊り棚の下に設置する収納棚には、スイング扉を取り付けるようになってきた。
【０００５】
このスイング扉とは、扉が家具と平行に移動するものであり、扉の開閉時に立っている人に当たるようなことが全くないため、人が立っている位置を動くことなく扉の開閉ができるという特長を有している。従って、このスイング扉は、吊り棚の下に設置する収納棚ばかりでなく、最近では食器棚にも採用されるようになってきた。
【０００６】
食器棚では、最上段の棚の開閉を開き扉にし、二段目の棚の開閉をスイング扉にしている。つまり食器棚は、最上段の棚の位置は人の頭上と同じか、或いは、それよりも少し高い位置にあるため、最上段の棚を開き扉にしても開き扉の開閉時に人は、そのままの姿勢、または身長の高い人は少し頭を下げるだけで開き扉の開閉が行える。しかしながら、食器棚の二段目の棚は丁度、人の胸元位置にあり、開き扉の開閉時に開き扉の開閉軌道にぶつかるため、人は開閉する扉を避ける動作をしなければならない。この煩わしさから、食器棚の二段目にスイング扉を採用するようになってきた。
【０００７】
【発明が解決しようとする課題】
吊り棚の下に設置する収納棚や食器棚の二段目の棚にスイング扉を取り付けた場合、従来のスイング扉ではスイング扉を開けたときにスイング扉の取付金具が上部の吊り棚の取っ手や食器棚の最上段の棚の開き扉の取っ手、或いは開き扉に当たって、取っ手を壊したり、開き扉を傷付けたりすることがあった。
【０００８】
スイング扉の取付金具が開き扉の取っ手に当たる場合は、図８に示すように観音開きの二枚の開き扉Ａ、Ａと一枚の開き扉Ｂが設置された吊り棚Ｃである。つまり一枚の開き扉Ｂから突出した取っ手Ｈと、扉を開けたときに取っ手と同位置に収納棚Ｓの取付金具１が取り付けられていると、吊り棚Ｃの取っ手Ｈと収納棚Ｓの取付金具１が当たってしまう。本発明は、上部の開き扉の取っ手が如何に突出していても取ってや開き扉にスイング扉の取付金具が決して当たることがないというスイング扉用の取付金具を提供することにある。
【０００９】
【課題を解決するための手段】
スイング扉を開けたときに止まる位置を少し大きめに決めておいても、開き扉の取っ手の突出高さは一様ではなく、突出があまりにも高い取っ手には対応できない。そこで本発明者は、スイング扉を開けたときにスイング扉の止まる位置を適宜調整できるようにしておけば、突出の高い取っ手や低い取っ手に対してもスイング扉の取付金具が当たらなくなることに着目して本発明を完成させた。
【００１０】
本発明は、扉に固定した扉用固定具に上ステイと下ステイの一端が回動自在に取り付けられているとともに、家具の側壁に固定した側壁用固定具に上ステイと下ステイの他端が回動自在に取り付けられており、しかも側壁用固定具には下ステイを取り付けた回動軸の上方近傍に下ステイの回動を停止させることができる多角形のストッパーが偏芯して回動自在に取り付けられていることを特徴とするスイング扉の取付金具である。
【００１１】
【発明の実施の形態】
スイング扉では、扉を開けたときに、扉はなるべく上部の開き扉に近づいた方が、収納間口が広くなって、中の物の出し入れが容易となる。つまりスイング扉が上部の棚の取っ手に当たらない程度でなるべく近づくことが好ましい。取付金具の上ステイと下ステイが真っ直ぐであると、スイング扉を取り付けた棚の出口上部に当たってしまい、それ以上開かなくなる。そこでスイング扉の上ステイと下ステイを出口上部に当たらないように「く」字形に湾曲させておくとスイング扉が上部の開き扉に近づいて大きく開くようになる。
【００１２】
スイング扉は一枚板であり、大きくなると結構重量が重くなる。この重いスイング扉を開閉する場合、大きな力が必要となり、力のない女性や子供では開閉が困難となる。そこでスイング扉を開くときにバネ力が作用するように引張りバネを張設しておくとよい。このバネは、上ステイの取付部上部と側壁用固定具間に張設する。
【００１３】
吊り棚や食器棚の最上部の棚の取っ手の突出高さは一様でないため、スイング扉が上部棚の開き扉に近づく距離を数段階に調節しなければならない。この距離の調節は下ステイの回動を調整することで行える。そこで本発明では、下ステイを取り付けた回動軸の少し上方の近傍にステイの回動を調整できるストッパーを設置する。このストッパーは多角形であり、偏芯して側壁用固定具に取り付けておく。
【００１４】
本発明に使用するストッパーは、回動自在な多角形、好ましくは長方形であり、長方形の各辺のいずれからも等しくない位置にストッパーを回転させる軸が取り付けられている。ストッパーの各辺に、軸からの距離に応じて異なる印を付しておくと、下ステイをどの位置で止めるかの目安となり、しかも、もう一方のスイング扉の取付金具の下ステイの停止位置と同一にすることが容易にできる。
【００１５】
ストッパーの内側には、多角形の各辺に対して直交する溝が刻設されており、該溝と係合可能なノックが側壁用固定具に突設されている。このようにストッパーの内側に多角形の各辺に対して直交する溝を刻設しておくと、ストッパーを回動して所望の位置で止めたいときに、該溝がノックに係止して確実に位置決めができる。
【００１６】
【実施例】
以下、図面に基づいて本発明のスイング扉の取付金具を説明する。図１はスイング扉の取付金具の斜視図、図２はスイング扉を上部の棚の扉に最も近づけた状態のときの側面図、図３は図２の状態における下ステイとストッパーの関係を説明する図、図４はスイング扉を上部の棚の扉から最も離した状態のときの側面図、図５は図４の状態における下ステイとストッパーの関係を説明する図、図６はストッパーの拡大平面図、図７はストッパーの拡大側面図である。
【００１７】
本発明のスイング扉の取付金具１は、側壁用固定具２、扉用固定具３、上ステイ４、下ステイ５、ストッパー６から構成されている。
【００１８】
側壁用固定具２は、「Ｌ」字状となっており、長尺部７を横方に、短尺部８を縦方にして収納棚や食器棚の側壁Ｗに固定するものである。また扉用固定具３は、アングル状となっており、収納棚や食器棚のスイング扉Ｓの側部に固定するものである。側壁用固定具２と扉用固定具３には必要個所に固定用のネジ穴９…が穿設されている。
【００１９】
上ステイ４は、「く」字状湾曲しているしているとともに、端部がクランク状に屈曲している。該上ステイは、スイング扉を開けたときに湾曲した内側が収納棚や食器棚の取付部の天井を向くようにして一端が側壁用固定具２の略中央位置（長尺部と短尺部の交差する位置）に軸１０により回動自在に取り付けられている。また上ステイ４の他端は扉用固定具３に軸１１により回動自在に取り付けられている。
【００２０】
下ステイ５は、上ステイ４ほどではないが、やはり「く」字状に湾曲しており、スイング扉を開けたときに湾曲した内側が収納棚や食器棚の取付部の天井を向くようにして一端が側壁用固定具２を取り付けた軸１０よりも下方に軸１２により回動自在に取り付けられている。また下ステイ５の他端は扉用固定具３の前述上ステイ５の取付位置よりも下方に軸１３により回動自在に取り付けられている。上ステイ４と下ステイ５は、側壁用固定具２に対して同一面に取り付けられているが、上ステイ４の端部がクランク状に屈曲しているため、二枚のステイは何の支障もなく回動できる。
【００２１】
ストッパー６は、下ステイ５を取り付けた軸１２の上方近傍に軸１４により側壁用固定具２に回動自在に取り付けられている。ストッパー６は、多角形、好ましくは長方形であり、図６に示すように全ての辺から異なる位置、即ち偏芯した位置に軸１４で取り付けられている。ストッパーを偏芯位置に取り付けた軸から各辺までの距離を近い順から遠い順に点の数（最接近の辺が無印、次に近い辺が一点、その次が二点、最遠が三点）で印１５が付されている。ストッパー６の内側には辺と直交するようにして溝１５が刻設されており、図７に示すように該溝に係合可能なノック１６が側壁用固定具２に形成されている。
【００２２】
上ステイ２の端部でスイング扉を開けたときに軸９よりも上方となる位置に引張りバネ１７が係止され、また該引張りバネの他端が側壁用固定具７の長尺部７の端部に係止されている。該引張りバネを上ステイ４に係止している分部がスイング扉Ｓを開けたときに軸１０よりも上位置となり、またスイング扉を閉めたときに軸１０よりも少し下の位置となるため、スイング扉を開けるときには引張りバネの力がスイング扉を開ける方向に作用し、また閉めるときには閉める方向に作用してスイング扉を開口部に完全に密着させるようになる。
【００２３】
次に上記構成からなる本発明スイング扉の開閉状態について説明する。先ずスイング扉Ｓを全開したときに、スイング扉をなるべく上方の収納棚の扉に近づけた方が間口が広くなって中の物の出し入れが容易となる。そこで最初にストッパー６は軸１３と下ステイ５を最大限に近づけた状態、つまり軸１３としたステイの距離が一番近い辺が当設するようにストッパー６を無印の辺にする（図２、３）。しかし最接近では取付金具１が上方の取っ手Ｈに当たるため、次に遠い二点にするが、これでも上方の取っ手に取付金具が当たる。そこで次に最も遠い三点にすると、取付金具は上方の取っ手に当たらなくなる（図４、５）。このようにしてスイング扉の取付金具が上部の取っ手に当たらなくなったら、もう一方に取り付けられた取付金具のストッパーを同一の三点にする。
【００２４】
【発明の効果】
以上説明したように、本発明のスイング扉の取付金具は、上方の吊り棚や食器棚に取り付けた取っ手に取付金具が当たるようなときは、取っての高さに応じてスイング扉の開け具合を調整できるため、如何なる形状、大きさの取っ手に対しても決して取付金具と取っ手が当たらないようにすることができるという従来の取付金具にはない優れた効果を奏するものである。
【図面の簡単な説明】
【図１】スイング扉の取付金具の斜視図
【図２】スイング扉を上部の棚の扉に最も近づけた状態のときの側面図
【図３】図２の状態における下ステイとストッパーの関係を説明する図
【図４】スイング扉を上部の棚の扉から最も離した状態のときの側面図
【図５】図４の状態における下ステイとストッパーの関係を説明する図
【図６】ストッパーの拡大平面図
【図７】ストッパーの拡大側面図
【図８】一枚開き扉と二枚開き扉の吊り棚にスイング扉の収納棚を設置した説明図
【符号の説明】
１　スイング扉の取付金具
２　側壁用固定具
３　扉用固定具
４　上ステイ
５　下ステイ
６　ストッパー
９、１０，１１，１２、１４　軸
【図１】
2004027789.tif 000003
【図２】
2004027789.tif 000004
【図３】
2004027789.tif 000005
【図４】
2004027789.tif 000006
【図５】
2004027789.tif 000007
【図６】
2004027789.tif 000008
【図７】
2004027789.tif 000009
【図８】
2004027789.tif 000010